(57)【要約】      （修正有）【課題】従来写真や図画をそのままの状態で、フロントライトで照明表示する写真立てや額縁等の図画表示装置はなかった。このための導光板を提供する。【解決手段】図画や写真等をフロントライトで照射する写真立て等において、その光源１がフロントライトと同一平面上ではなく、図画７を挟んで反対側を含む裏側の空間に設置し、該光源装置から照射された光線を端面に設ける二個以上の鏡の組み合わせもしくは一個以上のプリズムあるいはレンズで略１８０度反射、屈折させ、前面の照射装置へと導き、あわせて必要に応じこの光線を拡散させる装置を有する構成。特に複数のＬＥＤなどの点状光源でも充分な光路長が取れ光の拡散も自在に得られ均一な明るさで鮮明な図画像を得る。【選択図】図１
0003154022.tif 000002
【実用新案登録請求の範囲】
【請求項１】
図画や写真等をフロントライトで照射する写真立て等において、その光源をフロントライトと同一平面上ではなく、図画を挟んで反対側を含む裏側の空間に設置し、該光源装置から照射された光線を本体周辺外縁部端面に設ける二個以上の反射用鏡の組み合わせもしくは一個以上のプリズムあるいはレンズで略１８０度反射、屈折させ、前面の照射装置へ導き、あわせて必要に応じこの光線を拡散させる装置を有すること。
【考案の詳細な説明】
【技術分野】
【０００１】本考案は前面にフロントライト式照明装置を持ち図画、写真等を照射する写真立て、額縁、表示板等（以下写真立て等）においてその光源装置を写真立ての背面に設置する方式に関するものである。
【背景技術】
【０００２】従来のフロントライトでは光源装置とその光路は導光板と同一平面上に設置された形状であり、その光源装置は導光板の周辺外縁部に設置されていた。そのため、光源装置を設置するための空間を確保するために写真立て等を新たに設計あるいは加工する必要があった。また確保すべき空間は導光板と同一平面にあるため、どうしても周辺外縁部が大きくなる傾向にあった。特にＬＥＤ等点光源を複数用いる場合光度を均一化するために特別のレンズや光路長を充分設けるなどで複雑でコスト高になりやすかった。
【考案の開示】
【０００３】本考案では、上記写真立て等の周辺外縁部分等に直接光源を設置せずに、図画、写真等を含んで裏側の空間に光源装置を配置し、光路を適宜調節し反射鏡、レンズ、プリズム、拡散板、等を利用しながら点光源または線光源を一様な面光源へと簡易に変換することを可能とする。
【考案が解決しようとする課題】
【０００４】フロントライト式の照明装置では、設計の段階から写真立て等の周辺部分に冷陰極管などの主として線状光源を用いたものが多いが、この際この照明装置を設置するための空間を用意する必要があった。そのため従来の写真立て等の周辺外縁部分に比べて大きく、厚くなってしまうという問題点があった。また発光効率のよいＬＥＤなどの点状光源を複数用いる場合光源と被照明体との距離が短く均一な明るさの面光源は得にくくムラが出る傾向にあり、この問題解決のため面光源にするための特殊なレンズ等の別部材を更に必要とするという問題点もあった。
【課題を解決するための手段】
【０００５】光源装置を周辺外縁部分ではなく背面に設置することにより写真立て等に設置したフロントライト型導光板に光線を反射、屈折させ導光することよって、写真立て等の照明に最適な面光源を作り出す光路を容易に調節できるようになる。また従来の写真立て等を利用することも容易で安価に製造することが可能となる。
【考案の効果】
【０００６】本考案により従来型の写真立て等を基本にしながら、簡単な構造付与により一様な面光源をフロントライト部分に照射することが可能となる。このため写真立てに用いられる写真や図画等は新たに加工されることなく通常状態のまま照明され得る。また、本考案の応用例として既存の広告板、展示物、表示板（以下既存の表示板）などの背面に該光源装置を、表示板前面にフロントライト型導光板をそれぞれ取り付け、かつ周辺部分に本考案で述べる光路用の適当な装置を設けることによって、面光源でこれらを照らし出すことができるようになり、インテリアなどとしても視認できることはもちろん、夜間の照明装置としても用いることが可能となる。
【実施例】
【０００７】以下、本考案を図１の応用実施例について説明する。図１は本考案による装置の代表例としてのフロントライト式写真立ての断面構造の概略図である（全体図は省略する）。本装置の構造は主に導光板硬質部（５）、それと一体的層状に設けられる導光板軟質部（４）、表示対象の図画（７）、光源（１）、拡散板（２）、反射鏡（３）、周辺部反射鏡（６）写真立て外枠（８）、光源装置外枠（１０）、電源部（９）および背面板（１１）を全体の構造として形成され光源からの光路を前面へと導くものである。なお、導光板硬質部（５）、それと一体的層状に設けられる導光板軟質部（４）は、従来用いられている楔形状の断面を有するプリズム状硬質透明板でも同様である。【０００８】光源（１）からの放射光は拡散板（２）などを介し反射鏡（３）などで光路を調整され略１８０度反射、屈折し導光板側部端面から入射する（破線矢印で示す）。この光は導光板内部で屈折、反射し図画（３）を照明する。光源には冷陰極管やＬＥＤ（複数も可）等を用いる。【０００９】この際、導光板軟質部（４）の入射光用側部端面以外の端面に周辺部反射鏡（６）を取り付け、導光板内部の光を反射しより一層図画を照射するように取り付け位置を適宜工夫することができる。【００１０】また光源（１）の取り付け位置も適宜調節することによって最適な光量と光路を得るための光路調節が可能である。拡散板（２）は図のように光源（１）と反射鏡（３）の光路中に必要に応じて設け、この光を適宜拡散できるような凹凸もしくはシボ等を有する透明材料より成りフロントライトとしての均一な光源性能をより高める。場合によりこれに着色すれば選択色の照明も可能となる。電源部（９）は光源（１）に電気を供給し発光させるための電源及びスイッチ等制御部を収納するが、可能な限り最小の範囲で納めるのが好ましい。【００１１】写真立て外枠（８）、光源装置外枠（１０）および背面板（１１）は全体の構造を整えるとともに導光板側面や図画等からの漏れ光を反射し照明効果を向上させる。【００１２】また本考案の別の実施例を図２で説明する。図２では図１で反射鏡を用いていたものをプリズム（あるいはレンズ）（１２）で代替するもので作用効果は既述と同様である。
【図面の簡単な説明】
【００１３】
【図１】本発明に係る側面断面図略図
【図２】本発明のその他の実施例を示す側面断面図略図
【符号の説明】
【００１４】（１）    光源
（２）    拡散板
（３）    反射鏡
（４）    導光板軟質部
（５）    導光板硬質部
（６）    周辺部反射鏡
（７）    図画
（８）    写真立て外枠
（９）    電源部
（１０）  光源装置外枠
（１１）  背面板
（１２）  プリズム
【図１】
0003154022.tif 000003
【図２】
0003154022.tif 000004
【手続補正書】
【提出日】平成21年4月17日(2009.4.17)
【手続補正１】
【補正対象書類名】実用新案登録請求の範囲
【補正対象項目名】請求項１
【補正方法】変更
【補正の内容】
【請求項１】
発光ダイオード（ＬＥＤ）や冷陰極管（ＣＣＦＬ）などの光源装置を照射対象の図画や写真等の背面空間に設置し、該光源装置より発せられる光線を該図画や写真周辺外縁部に設ける二個以上の反射用鏡の組み合わせもしくは一個以上のプリズムあるいはレンズで略１８０度反射もしくは屈折させ、該図画や写真表面に密着させた透明な軟質樹脂および硬質アクリル板もしくはガラス板より一体的に構成される導光板の端面から入射させ該図画や写真等の表面をフロントライトとして照射し、より均一な光線を得る必要がある場合にはエンボス加工やシボ加工などを表面に施した透明なアクリル板もしくはガラス板を拡散板として光路中に設けて成る写真立て。
【手続補正書】
【提出日】平成21年6月24日(2009.6.24)
【手続補正１】
【補正対象書類名】実用新案登録請求の範囲
【補正対象項目名】請求項１
【補正方法】変更
【補正の内容】
【請求項１】
発光ダイオード（ＬＥＤ）や冷陰極管（ＣＣＦＬ）などの光源装置を照射対象の図画や写真等の背面空間に設置し、該光源装置より発せられる光線を該図画や写真等の周辺外縁部に設ける二個以上の反射用鏡の組み合わせもしくは一個以上のプリズムあるいはレンズで略１８０度反射もしくは屈折させた後、該図画や写真等の表面に密着させた透明な軟質樹脂および硬質アクリル板もしくはガラス板より一体的に構成される導光板の端面から入射させ該図画や写真等の表面を照射するフロントライト機能を有する写真立て。